(57)【要約】【課題】簡易かつ安価に構築することが可能で、なおかつ、天候に左右されることなく場内を視認しやすい展望台付建物を提案する。【解決手段】プレハブ工法により構築された小屋部分２と、小屋部分２の上部に設けられた展望部分３とを備える展望台付建物１であって、展望部分３は、柱部材３１，３２と梁部材３３とを組み合わせることにより形成されたフレーム構造体３０と、フレーム構造体３０の下面を塞ぐ床パネル３４と、フレーム構造体３０の上面を塞ぐ屋根パネル３５と、柱部材３１，３２同士の間に横架された手すり３６とにより構成されている。【選択図】図１
2015148047.tif 000002
【特許請求の範囲】
【請求項１】
プレハブ工法により構築された小屋部分と、前記小屋部分の上部に設けられた展望部分と、を備える展望台付建物であって、
前記展望部分は、柱部材と梁部材とを組み合わせることにより形成されたフレーム構造体と、前記フレーム構造体の下面を塞ぐ床パネルと、前記フレーム構造体の上面を塞ぐ屋根パネルと、前記柱部材同士の間に横架された手すりと、により構成されていることを特徴とする、展望台付建物。
【請求項２】
前記柱部材が、ウェブと一対のフランジとを備えた断面Ｈ字状または断面コ字状の部材からなり、
前記手すりの端部は、前記ウェブと前記一対のフランジとにより囲まれた空間に嵌め込まれていることを特徴とする、請求項１に記載の展望台付建物。
【請求項３】
前記手すりが、腰壁パネルと、前記腰壁パネルの上端に設けられた棒状横架材と、からなり、
前記棒状横架材の両端は、前記柱部材に固定されていることを特徴とする、請求項１または請求項２に記載の展望台付建物。
【発明の詳細な説明】
【技術分野】
【０００１】
本発明は、展望台付建物に関する。
【背景技術】
【０００２】
建設工事では、工事内容や工事状況を説明することを目的として、見学者に対して作業現場内を公開する場合がある。
このような工事説明において、場内を一望することができれば、工事状況や完成イメージ等を把握しやすい。
【０００３】
そのため、大規模な工事現場等においては、見学会（説明会）用に、場内を見渡すための展望台を設ける場合がある。
【０００４】
このような展望台は、各現場に応じた構造物を構築するのが一般的である。
ところが、仮設の展望台を個別に設計、施工を行うと、作業に手間がかかるとともに、費用もかかる。
【０００５】
そのため、見学会用の展望台の構築の手間や費用を削減することを目的として、プレハブ工法により構築された建物（例えば、特許文献１参照）の屋根に、仮設の足場や手すりを設置して展望台として使用する場合がある。
【先行技術文献】
【特許文献】
【０００６】
【特許文献１】特開２００５−２３６６１公報
【発明の概要】
【発明が解決しようとする課題】
【０００７】
建物の屋根に形成された展望台は、雨天時に使用することができないという問題がある。
【０００８】
本発明は、前記の問題点を解決することを目的とするものであり、簡易かつ安価に構築することが可能で、なおかつ、雨天時にも使用可能な展望台付建物を提案することを課題とする。
【課題を解決するための手段】
【０００９】
前記課題を解決するために、本発明の展望台付建物は、プレハブ工法により構築された小屋部分と、前記小屋部分の上部に設けられた展望部分とを備える展望台付建物であって、前記展望部分は、柱部材と梁部材とを組み合わせることにより形成されたフレーム構造体と、前記フレーム構造体の下面を塞ぐ床パネルと、前記フレーム構造体の上面を塞ぐ屋根パネルと、前記柱部材同士の間に横架された手すりとにより構成されていることを特徴としている。
【００１０】
かかる展望台付建物によれば、展望部分がフレーム構造体（柱部材）と手すりで囲まれているため、視界が広い。また、屋根パネルを備えているため、雨天においても見学に使用することができる。
【００１１】
また、本発明によれば、プレハブ工法により構築された小屋部分を利用しているため、施工が容易で、安価に構築することができる。
さらに、小屋部分を、休憩室や説明室として使用することできるため、展望台専用の構造物を構築する場合に比べて、コストパフォーマンスが高い。
【００１２】
また、前記柱部材がウェブと一対のフランジとを備えた断面Ｈ字状または断面コ字状の部材からなり、前記手すりの端部が前記ウェブと前記一対のフランジとにより囲まれた空間に嵌め込まれたものであれば、手すりを設置する手間の省力化が可能となる。
【００１３】
また、前記手すりが、腰壁パネルと前記腰壁パネルの上端に設けられた棒状横架材とからなり、前記棒状横架材の両端が前記柱部材に固定されたものであれば、手すりが柱部材の座屈防止部材として機能するため、柱部材の小断面化が可能となる。
【発明の効果】
【００１４】
本発明の展望台付建物によれば、場内を一望することができる展望台を簡易かつ安価に構築することが可能となる。
【図面の簡単な説明】
【００１５】
【図１】本実施形態に係る展望台付建物を示す斜視図である。
【図２】図１に示す展望台付建物の手すりを示す斜視図である。
【図３】図２の手すりの端部を示す図であって、（ａ）は平断面図、（ｂ）は（ａ）のＡ−Ａ断面図である。
【発明を実施するための形態】
【００１６】
本実施形態の展望台付建物１は、建設工事の現場内に設けられており、図１に示すように、小屋部分２と展望部分３とを備えている。
なお、本明細書における前後左右は、図１に示す方向に統一する。
【００１７】
小屋部分２は、柱部材２１，２２と梁部材２３とを組み合わせてなるフレーム構造体２０と、フレーム構造体２０の下面を塞ぐ床パネル（図示せず）と、フレーム構造体２０の上面を塞ぐ天井パネル（図示せず）と、柱部材２１，２２同士の間に配設された壁パネル２４とを組み合わせることにより、箱型に形成されている。
小屋部分２は、土台４上に載置されている。
【００１８】
本実施形態では、フレーム構造体２０、床パネル、天井パネルおよび壁パネル２４が予め組み合わされたいわゆるユニットハウスを搬入することにより小屋部分２を形成している。
なお、小屋部分２は、プレハブ工法により構築されていればよく、必ずしもユニットハウスである必要はない。
【００１９】
フレーム構造体２０は、四隅に立設された構造柱２１，２１，…と、隣り合う構造柱２１，２１同士の上下端に横架された梁部材２３，２３，…とを主体に形成されている。
【００２０】
隣り合う構造柱２１，２１の間隔が一間（約１．８２ｍ）を超える場合には、一間毎に間柱２２を配設する。
間柱２２は、上下の梁部材２３，２３の間に配設されている。
【００２１】
本実施形態の展望台付建物１は、左右の幅が３間に構成されている。そのため、展望台付建物１の前後には、左右の構造柱２１，２１の間に、それぞれ間柱２２が２本ずつ配設されている。
また、展望台建物１の前後の幅は、一間を超えており、前後の構造柱２１，２１の間には、間柱が１本配設されている。
【００２２】
下側（構造柱２１の下端）に配設された４本の梁部材２３，２３，…は、枠状を呈しており、小屋部分２の床パネルを支持している。
上側（構造柱２１の上端）に配設された４本の梁部材２３，２３，…は、枠状を呈しており、小屋部分２の天井パネルを支持している。
【００２３】
壁パネル２４は、柱部材２１，２２と上下の梁部材２３，２３により囲まれた断面矩形状の溝状空間に嵌め込まれた板材である。
壁パネル２４を構成する材料は限定されるものではないが、例えば石膏ボードや木質系パネルにより構成すればよい。
壁パネル２４の形状は、前記溝状空間の形状に応じて適宜設定すればよい。
【００２４】
小屋部分２の前側の壁面には、窓２５が形成されている。窓２５は、小屋部分２の工事現場側の側面に形成されている。なお、窓２５は、左右の壁面や後側の壁面に形成されていてもよい。
【００２５】
窓２５が設けられた壁面では、窓２５の上下に壁パネル２４，２４が配設されている。窓２５は、上下の壁パネル２４，２４の間に窓ガラス付のサッシを設けることにより形成されている。
【００２６】
小屋部分２の後側（図１において窓が形成された側面の反対側）の側面には、図示しない出入り口が形成されている。なお、出入り口の形成箇所および形成方法は限定されない。
【００２７】
展望部分３は、図１に示すように、小屋部分２の上部に設けられた展望台である。
本実施形態の展望台付建物１には、展望部分３に至る階段（図示せず）が後側に形成されている。
【００２８】
展望部分３は、柱部材３１，３２と梁部材３３とを組み合わせることにより形成されたフレーム構造体３０と、フレーム構造体３０の下面を塞ぐ床パネル３４と、フレーム構造体３０の上面を塞ぐ屋根パネル３５と、柱部材３１，３２同士の間に横架された手すり３６とにより箱状に形成されている。
【００２９】
つまり、本実施形態の展望台付建物１は、二つの箱型のユニットを上下に積み上げることにより形成されている。
展望台付建物１を構成するフレーム構造体３０は、予め工場等において組み立てられたものを搬入して小屋部分２上に載置してもよいし、小屋部分２の上において組み立ててもよい。
【００３０】
フレーム構造体３０は、四隅に立設された構造柱３１，３１，…と、隣り合う構造柱３１，３１同士の上下端に横架された梁部材３３，３３，…とを主体に形成されている。
展望部分３の構造柱３１，３１，…は、小屋部分２の構造柱２１，２１，…の延長線上に立設されている。
【００３１】
隣り合う構造柱３１，３１の間隔が（約１．８２ｍ）を超える場合には、構造柱３１同士の間に間柱３２を一間ピッチで配設する。
本実施形態の間柱３２は、小屋部分２の間柱２２の延長線上に立設されている。つまり、展望部分３の間柱３２は、前面および後面に２本ずつ、左右の側面に１本ずつ、それぞれ配設されている。
【００３２】
構造柱３１は、図２に示すように、１対のフランジとウェブにより断面コ字状に形成された軽量骨材を２本組み合わせることにより構成されている。
構造柱３１は、一方の軽量骨材のウェブの背面に他方の軽量骨材のフランジを当接させた状態で固定することにより形成されている。すなわち、構造柱３１は、他の構造柱３１（間柱３２）側に開口する溝部を有している。
なお、構造柱３１を構成する材料は限定されるものではなく、例えば、断面Ｈ字状の軽量骨材を使用してもよい。
【００３３】
間柱３２は、図３の（ａ）に示すように、１対のフランジとウェブにより断面Ｈ字状に形成された軽量骨材により構成されている。なお、間柱３２を構成する材料は限定されるものではなく、例えば、断面コ字状の軽量骨材のウェブ同士を当接させた状態で組み合わせることにより構成してもよい。
【００３４】
図２に示すように、間柱３２は、他の柱部材（構造柱３１または間柱３２）側に開口する溝部を有している。すなわち、間柱３２は、一対のフランジが展望部分３の内側と外側に面するように配設されている。
【００３５】
梁部材３３を構成する材料は限定されるものではないが、本実施形態では、断面Ｈ字状の軽量骨材を採用する。
梁部材３３の端部は、構造柱３３の上端または下端に固定されている。なお、柱部材３１，３２と梁部材３３との固定方法は限定されるものではなく、例えば、ボルト接合や溶接接合により固定すればよい。
【００３６】
下側（構造柱３１の下端）に配設された梁部材３３は、小屋部分２の上側の梁部材２３に上載されている。また、下側に配設された４本の梁部材３３，３３，…は、枠状を呈しており、床パネル３４を支持している。
なお、床パネル３４は、複数の板材を組み合わせることにより形成されていてもよいし、１枚の板材により形成されていてもよい。
【００３７】
上側（構造柱３１の上端）に配設された４本の梁部材３３，３３，…は、枠状を呈しており、屋根パネル３５を支持している。
なお、屋根パネル３５は、複数の板材を組み合わせることにより形成されていてもよいし、１枚の板材により形成されていてもよい。また、屋根パネル３５は、傾斜していてもよい。
【００３８】
手すり３６は、隣り合う柱部材３１，３２により挟持されている。
手すり３６は、隣り合う柱部材３１，３２と上下の梁部材３３，３３により囲まれた空間の下部を遮蔽している。一方、手すり３６、隣り合う柱部材３１，３２および上側の梁部材３３により囲まれた空間は開口している。この開口部分には、窓ガラス等の透明板も存在していない。
【００３９】
手すり３６は、図２に示すように、腰壁パネル３７、棒状横架材３８および手すり棒３９を備えている。
【００４０】
腰壁パネル３７は、隣り合う柱部材３１，３２の間に横架された板材である。
腰壁パネル３７を構成する板材の幅は約一間（１８０ｃｍ程度）、高さは約半間（９０ｃｍ程度）である。また、腰壁パネル３７を構成する板材の厚みは、柱部材３１，３２を構成する軽量鉄骨の一対のフランジ同士の間隔よりも小さい。
なお、腰壁パネル３７を構成する材料や形状は限定されるものではなく、例えば、石膏ボードや木質系パネル等であってもよいし、透明板材であってもよい。
【００４１】
腰壁パネル３７の両側端は、図３の（ａ）および（ｂ）に示すように、構造柱３１または間柱３２のウェブと一対のフランジにより囲まれた溝状空間に嵌め込まれている。
【００４２】
棒状横架材３８は、図２に示すように、腰壁パネル３７の上端に載置された矩形断面の木製部材である。なお、棒状横架材３８を構成する材料は限定されない。
棒状横架材３８は、腰壁パネル３７の上端に載置されることで、手すり３６の高さ調整用部材として機能する。棒状横架材３８は、必要に応じて複数本重ねてもよい。
【００４３】
棒状横架材３８は、約一間（１８０ｃｍ程度）の長さを有しているとともに、柱部材３１，３２を構成する軽量鉄骨の一対のフランジ同士の間隔よりも小さい幅（厚さ）を有している。
【００４４】
棒状横架材３８の両端は、図３の（ａ）および（ｂ）に示すように、構造柱３１または間柱３２のウェブと一対のフランジにおり囲まれた空間に嵌め込まれている。
このとき、棒状横架材３８の端面は、構造柱３１または間柱３２を構成する軽量骨材のウェブに当接させる。
【００４５】
棒状横架材３８の両端は、固定治具５を介して柱部材３１，３２に固定されている。
固定治具５は、一対のフランジ５３，５３とウェブ５４とにより断面コ字状に形成された治具本体５１と、治具本体５１に取り付けられたボルト５２により構成されている。
【００４６】
図３の（ｂ）に示すように、固定治具５のフランジ５３，５３は、棒状横架材３８の上方から棒状横架材３８と柱部材３１，３２との隙間に差し込まれている。
【００４７】
固定治具５のフランジ５３は、先端に向かうに従って、フランジ同士の隙間が大きくなるように、内面側が傾斜している。
一対のフランジ５３，５３の先端部同士の間隔は棒状横架材３８の厚み（図３において左右の幅）よりも大きく、フランジ５３，５３の基端部同士の間隔は棒状横架材３８の厚みよりも小さい。
【００４８】
また、フランジ５３の先端部（下端部）は、棒状横架材３８と柱部材３１，３２との隙間よりも小さく、フランジ５３の基端部（上端部）は、柱部材３１，３２との隙間よりも大きい。
【００４９】
そのため、棒状横架材３８と柱部材３１，３２との隙間にフランジ５３を挿入しやすい。また、固定治具５を押しこむことで、一対のフランジ５３，５３が互いに離れる方向に拡幅するため、くさび効果により柱部材３１，３２に強固に固定される。
【００５０】
固定治具５のウェブ５４の中央部には、ボルト孔５５が形成されている。
ボルト５２は、固定治具５を取り外す際に使用する部材であって、ボルト孔５５に挿通されている。
【００５１】
ボルト孔５５に挿通したボルト５２の先端を棒状横架材３８の上面に当接させた状態でボルト５２をねじ込む（ウェブ５４に対して下降させる）と、治具本体５１が上昇するため、フランジ５３，５３を棒状横架材３８と柱部材３１，３２との隙間から抜き出すことができる。フランジ５３，５３を棒状横架材３８と柱部材３１，３２との隙間から抜き出すことで、固定治具５を取り外すことができる。
【００５２】
手すり棒３９は、図２に示す方に、手すり治具３９ａを介して棒状横架材３８の上面に固定されている。
本実施形態では、円柱状の木製部材により手すり棒３９を構成するが、手すり棒３９の材質や断面形状は限定されない。
【００５３】
手すり３６は、床面（床パネル３４の上面）から手すり棒３９の上端までの高さが、１１０ｃｍ以上となるように形成されている。なお、手すり３６の高さは、必ずしも１１０ｃｍ以上である必要はない。
【００５４】
本実施形態では、左右の側面の間柱３２と後側の構造柱３１との間に、壁パネル４０を配設しているが、壁パネル４０に代えて、手すり３６を配設してもよい。
【００５５】
また、本実施形態では、展望部分３の後側の一部に、出入り口６が形成されている。なお、展望部分３の出入り口６の位置は限定されない。
【００５６】
本実施形態の展望台付建物１によれば、展望部分３が小屋部分２の上に形成されているため、高所から現場全体を見渡すことができる。
また、展望部分３の四方がフレーム構造体３０（柱部材３１，３２）と手すりで囲まれていて、開口しているため、視界が広い。
【００５７】
また、屋根パネル３５を備えているため、雨天においても見学に使用することができる。
また、床パネル３４により床が形成されているため、仮設部材である足場を組み合わせることにより形成する場合に比べて安全性に優れている。
【００５８】
また、四方が開口されているため、現場内の音、風、温度、臭いなどの現場環境を五感で感じることができ、現場内の雰囲気や工事関係者が働く環境なども把握しやすい。
また、フレーム構造体３０により必要な強度が確保されている。また、手すり３６により見学者の安全性も確保されている。
【００５９】
また、展望台付建物１は、プレハブ工法により構築されているため、施工が容易で、安価に構築することができ、また、信頼性も高い。
また、小屋部分２を、休憩室や説明室として使用することできるため、展望台専用の構造物を構築する場合に比べて、コストパフォーマンスが高い。
【００６０】
手すり３６は、柱部材３１，３２のウェブと一対のフランジとより囲まれた空間に端部を嵌め込むものであるため、手すりを設置する手間の省力化が可能となる。
また、手すり３６は、固定治具５を介して強固に固定されているため、がたつき等がなく、安全性に優れている。
【００６１】
また、棒状横架材３８は、柱部材３１，３２の座屈防止部材としても機能する。そのため、柱部材３１，３２の小断面化が可能となり、ひいては、材料費の低減化も図ることができる。
【００６２】
以上、本発明に係る実施形態について説明した。しかし、本発明は、前述の実施形態に限られず、前記の各構成要素については、本発明の趣旨を逸脱しない範囲で、適宜変更が可能である。
【００６３】
前記実施形態では、小屋部分が１階建ての場合について説明したが、小屋部分は２階建て以上であってもよい。
また、展望台付建物の規模（平面積、平面形状、床面積等）は、適宜設定すればよい。
【００６４】
固定治具５は、必要に応じて設置すればよく、省略してもよい。また、固定治具５の構成は、手すり３６を柱部材３１，３２に固定することが可能であれば、前記実施形態で示したものに限定されるものではない。
また、棒状横架材の端部は、必ずしも柱部材に固定されている必要はない。
また、手すり棒は、必要に応じて設置すればよく、省略してもよい。
【符号の説明】
【００６５】
１    展望台付建物
２    小屋部分
３    展望部分
３０  フレーム構造体
３１  構造柱（柱部材）
３２  間柱（柱部材）
３３  梁部材
３４  床パネル
３５  屋根パネル
３６  手すり
３７  腰壁パネル
３８  棒状横架材
５    固定治具
【図１】
2015148047.tif 000003
【図２】
2015148047.tif 000004
【図３】
2015148047.tif 000005